(57)【要約】【課題】移動端末の電力制御ステップ大きさを調整する方法を提供する。【解決手段】ネットワークエンティティから信号条件データを受信し、該信号条件データに基づいて前記電力制御ステップ大きさを調整することによって、高速で変化するチャンネル条件により迅速に対応できる電力制御が可能になる。該方法は、移動端末の電力制御ステップ大きさを調整する方法において、ネットワークエンティティから信号条件データを受信する段階と、前記信号条件データに基づいて前記電力制御ステップ大きさを調整する段階と、を含む。【選択図】図２
2009522913.tif 000002
【特許請求の範囲】
【請求項１】
移動端末の電力制御ステップ大きさを調整する方法において、
ネットワークエンティティから信号条件データを受信する段階と、
前記信号条件データに基づいて前記電力制御ステップ大きさを調整する段階と、
を含む電力制御ステップ大きさ調整方法。
【請求項２】
前記信号条件データは、
前記移動端末が電力を増加するように指示する電力上昇命令、または、前記移動端末が電力を減少するように指示する電力減少命令を個別的に含む電力レベル命令を含み、
前記電力制御ステップ大きさ調整方法は、
第１の予め定められた連続した個数の前記電力レベル命令が電力上昇命令を含む場合、前記ステップ大きさを増加させる段階と、
第２の予め定められた連続した個数の前記電力レベル命令が電力減少命令を含む場合、前記ステップ大きさを減少させる段階と、
をさらに含むことを特徴とする、請求項１に記載の電力制御ステップ大きさ調整方法。
【請求項３】
前記信号条件データは、
前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認（Ｎｅｇａｔｉｖｅ−ａｃｋｎｏｗｌｅｄｇｅｍｅｎｔ）ＮＡＣＫのうちいずれかを含む転送制御情報パラメータを含み、
前記調整する段階は、
第１の予め定められた連続した個数の前記転送制御情報パラメータが否定確認ＮＡＣＫを含むと前記ステップ大きさを増加させる段階と、
前記第２の予め定められた連続した個数の前記転送制御情報パラメータが確認ＡＣＫを含むと前記ステップ大きさを減少させる段階と、
をさらに含むことを特徴とする、請求項１に記載の電力制御ステップ大きさ調整方法。
【請求項４】
前記信号条件データは、
前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む、前記ネットワークエンティティからの転送制御情報パラメータを含み、
前記調整する段階は、
前記ネットワークエンティティから、前記移動端末が電力を増加するように指示する電力上昇命令、または、前記移動端末が電力を減少するように指示する電力減少命令のうちいずれかを含む電力レベル命令を受信する段階と、
第１の予め定められた連続した個数の前記電力レベル命令が電力上昇命令を含み、第２の予め定められた連続した個数の前記転送制御情報パラメータが否定確認ＮＡＣＫを含むと、前記ステップ大きさを増加させる段階と、
第３の予め定められた連続した個数の前記電力レベル命令が電力減少命令を含み、第４の予め定められた連続した個数の前記転送制御情報パラメータが確認ＡＣＫを含むと、前記ステップ大きさを減少させる段階と、
を含むことを特徴とする、請求項１に記載の電力制御ステップ大きさ調整方法。
【請求項５】
前記信号条件データは、
前記ネットワークエンティティが前記移動端末から逆方向リンク信号を受信することを示すロック（ｌｏｃｋ）条件、または、前記ネットワークエンティティが前記移動端末から逆方向リンク信号を受信しないことを示すノーロック（ｎｏ  ｌｏｃｋ）条件を含むチャンネル品質指示子（すなわち、データレート制御ロック指示子）を含み、
前記調整する段階は、
前記チャンネル品質指示子が、第１の予め定められた時間周期の間にノーロック条件を示すと前記ステップ大きさを増加させる段階と、
前記チャンネル品質指示子が、第２の予め定められた時間周期の間にロック条件を示すと、前記ステップ大きさを減少させる段階と、
をさらに含むことを特徴とする、請求項１に記載の電力制御ステップ大きさ調整方法。
【請求項６】
前記信号条件データは、複数のパケット転送で転送されるサブパケットのための転送制御情報を含み、
前記複数のパケット転送のそれぞれのための前記転送制御情報は、
前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含み、
前記調整する段階は、
前記ネットワークエンティティから前記複数のパケット転送のそれぞれのための電力レベル命令を受信する段階を含み、該電力レベル命令のそれぞれは、前記移動端末が電力を増加するように指示する電力増加命令、または、前記移動端末が電力を減少するように指示する電力減少命令を含み、
前記調整する段階は、
前記複数のパケット転送のうち１つの第１または第２のサブパケットと関連した転送制御情報が転送確認ＡＣＫを含み、前記第１または第２の複数のパケット転送と関連した電力レベル命令が電力減少命令を含むか、または、前記複数のパケット転送の最後に受信されたサブパケットと関連した転送制御情報が転送否定確認ＮＡＣＫを含み、前記最後に受信されたサブパケットと関連した電力レベル命令が電力上昇命令を含むと、前記ステップ大きさを増加させる段階をさらに含むことを特徴とする、請求項１に記載の電力制御ステップ大きさ調整方法。
【請求項７】
前記信号条件データは、複数のパケット転送で転送されるサブパケットのための転送制御情報を含み、前記複数のパケット転送のそれぞれのための前記転送制御情報は、前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含み、
前記調整段階は、
前記複数のパケット転送の第１のサブパケットと関連した転送制御情報が転送確認ＡＣＫを含むと前記ステップ大きさを減少させる段階をさらに含むことを特徴とする、請求項１に記載の電力制御ステップ大きさ調整方法。
【請求項８】
前記信号条件データは、複数のパケット転送で転送されるサブパケットに関する転送制御情報を含み、前記複数のパケット転送のそれぞれのための前記転送制御情報は、前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含み、
前記調整する段階は、
前記複数のパケット転送の第１のサブパケットと関連した転送制御情報が転送確認ＡＣＫを含み、前記第１のサブパケットと関連した電力レベル命令が電力減少命令を含むと、前記ステップ大きさを減少させる段階をさらに含むことを特徴とする、請求項１に記載の電力制御ステップ大きさ調整方法。
【請求項９】
前記信号条件データは、システム負荷指示子を含み、前記調整する段階は、前記システム負荷指示子が、予め定められたしきい値レベル以下に落ちる前記ネットワークのローディング（ｌｏａｄｉｎｇ）を示す時にのみ発生することを特徴とする、請求項１に記載の電力制御ステップ大きさ調整方法。
【請求項１０】
前記調整段階は、
前記信号条件データに基づいて複数のステップ大きさのそれぞれに対するステップ大きさ遷移確率を決定する段階と、
前記遷移確率に基づいて前記ステップ大きさを増加または減少させる段階と、
を含むことを特徴とする、請求項１に記載の電力制御ステップ大きさ調整方法。
【請求項１１】
移動端末の電力制御ステップ大きさを計算する方法において、
前記移動端末と関連した信号条件データを決定する段階と、
前記信号条件データに基づいて前記電力制御ステップ大きさを調整する段階と、
前記移動端末に前記電力制御ステップ大きさを通信する段階と、
を含むことを特徴とする電力制御ステップ大きさ計算方法。
【請求項１２】
前記信号条件データは、
前記移動端末が電力を増加するように指示する電力増加命令、または、前記移動端末が電力を減少するように指示する電力減少命令を個別的に含む電力レベル命令を含み、
前記計算方法は、
第１の予め定められた連続した個数の前記電力レベル命令が電力増加命令を含むと前記ステップ大きさを増加させる段階と、
第２の予め定められた連続した個数の前記電力レベル命令が電力減少命令を含むと前記ステップ大きさを減少させる段階と、
をさらに含むことを特徴とする、請求項１１に記載の電力制御ステップ大きさ計算方法。
【請求項１３】
前記信号条件データは、
前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む転送制御情報パラメータを含み、
前記調整段階は、
第１の予め定められた連続した個数の前記転送制御情報パラメータが否定確認ＮＡＣＫを含むと前記ステップ大きさを増加させ、第２の予め定められた連続した個数の前記転送制御情報パラメータが確認ＡＣＫを含むと前記ステップ大きさを減少させる段階をさらに含むことを特徴とする、請求項１１に記載の電力制御ステップ大きさ計算方法。
【請求項１４】
前記信号条件データは、
前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む、前記ネットワークエンティティからの転送制御情報パラメータを含み、
前記調整段階は、
前記移動端末が電力を増加するように指示する電力増加命令、または、前記移動端末が電力を減少するように指示する電力減少命令を含む、ネットワークエンティティからの電力レベル命令を受信する段階と、
第１の予め定められた連続した個数の前記電力レベル命令が電力増加命令を含み、第２の予め定められた連続した個数の前記転送制御情報パラメータが否定確認ＮＡＣＫを含むと、前記ステップ大きさを増加させる段階と、
第３の予め定められた連続した個数の前記電力レベル命令が電力減少命令を含み、第４の予め定められた連続した個数の前記転送制御情報パラメータが確認ＡＣＫを含むと、前記ステップ大きさを減少させる段階と、
をさらに含むことを特徴とする、請求項１１に記載の電力制御ステップ大きさ計算方法。
【請求項１５】
前記信号条件データは、システム負荷指示子を含み、
前記システム負荷指示子が、予め定められたしきい値レベル以下に落ちる前記ネットワークのローディング（ｌｏａｄｉｎｇ）を示す場合にのみ、前記調整が発生することを特徴とする、請求項１１に記載の電力制御ステップ大きさ計算方法。
【請求項１６】
前記調整段階は、
前記信号条件データに基づいて複数のステップ大きさのそれぞれのためのステップ大きさ遷移確率を決定する段階と、
前記遷移確率に基づいて前記ステップ大きさを増加または減少させる段階と、
を含むことを特徴とする、請求項１１に記載の電力制御ステップ大きさ計算方法。
【請求項１７】
ネットワークエンティティと通信するための移動端末において、
前記ネットワークエンティティと通信するＲＦモジュールと、
使用者に情報をディスプレイするディスプレイと、
前記移動端末の動作と関連したデータを保存するメモリーと、
前記ネットワークエンティティから信号条件データを受信し、該信号条件データに基づいて前記電力制御ステップ大きさを調整することによって前記移動端末の電力制御ステップ大きさを調整するように構成された処理器と、
を含む移動端末。
【発明の詳細な説明】
【技術分野】
【０００１】
本発明は、移動端末に対する電力制御方法に係り、具体的には、移動端末に対する電力制御ステップ大きさを調整する方法に関する。
【背景技術】
【０００２】
複数の使用者が通信媒体を共有するための様々な接続技法が存在している。かかる接続技法の一つとして、コード分割多重接続（Ｃｏｄｅ  ｄｉｖｉｓｉｏｎ  ｍｕｌｔｉｐｌｅ  ａｃｃｅｓｓ；ＣＤＭＡ）が知られている。ＣＤＭＡシステムでは、複数の使用者が同じ搬送波周波数を共有し、同時に転送することができる。
【０００３】
ＣＤＭＡシステムのための現在標準は、通信産業協会及び電子工学産業協会（Ｔｅｌｅｃｏｍｍｕｎｉｃａｔｉｏｎｓ  Ｉｎｄｕｓｔｒｙ  Ａｓｓｏｃｉａｔｉｏｎ  ａｎｄ  Ｅｌｅｃｔｒｏｎｉｃｓ  Ｉｎｄｕｓｔｒｙ  Ａｓｓｏｃｉａｔｉｏｎ；ＴＩＡ／ＥＩＡ）により編纂された標準規格に含まれており、ＩＳ−９５Ａ、ＩＳ−９５Ｂ及びその他ＣＤＭＡタイププロトコルを含む。広帯域ＣＤＭＡのための新しい標準は開発中にあり、現ＣＤＭＡ標準規格に比べて顕著な性能向上を提供する。その一例としてＣＤＭＡ２０００が知られている。ＣＤＭＡ２０００は、第３世代無線通信システムの必要を満たすためのＣＤＭＡ技術を使用する広帯域、拡散スペクトラム無線インターフェースである。ＣＤＭＡ２０００標準規格の様々な性能向上技術が、第３世代無線通信システムの漸進的な進化を促すために開発されている。１ｘＥＶＤＯと知られたＣＤＭＡ２０００の変種規格が、現存する回線スイッチ方式のネットワークへのオーバーレイ（ｏｖｅｒｌａｙ）として高速パケットデータサービスを提供するために開発されている。
【０００４】
ＣＤＭＡシステムの一機能的様相は、電力制御と関連している。電力制御は、移動局から各基地局に受信される信号の電力を制御すべく、ＣＤＭＡシステム内の逆方向リンク上で用いられる。電力制御の一目的は、特定基地局によりサービスされている移動端末がセクターから受信器に概ね同じ信号レベルを提供するのを保証することである。ＣＤＭＡシステムでは、システム容量は、各移動端末の信号が、最小限に要求される信号対雑音比（ｓｉｇｎａｌ−ｔｏ−ｎｏｉｓｅ；ＳＮＲ）または信号対干渉比（Ｓｉｇｎａｌ−ｔｏ−Ｉｎｔｅｒｆｅｒｅｎｃｅ；ＳＩＲ）で基地局受信器に到達するように各移動端末の転送電力レベルが制御される場合に極大化される。受信された電力レベルの目標値は、前記リンクが予め定められた性能目標を満足させうるような最小レベルである。
【０００５】
移動端末がネットワーク内で移動するにつれて、チャンネル条件が高速及び低速フェーディング、シャドーイング（ｓｈａｄｏｗｉｎｇ）、複数の使用者、外部インターフェース及び他の要因等によって継続して変化される。従来電力制御アルゴリズムは、基地局で最小ＳＮＲまたはＳＩＲを保持すべく、逆方向リンク上の転送された電力を動的に制御する。開ループ及び閉ループ電力制御とも逆方向リンク上で典型的に使用される。開ループ制御において、移動端末は順方向リンク上に受信された信号強度をモニタし、この測定された信号強度に反比例してその転送電力を変動させる。高速電力制御は、閉ループ電力制御メカニズムによって提供される。閉ループ電力制御では、基地局は、移動局から受信した信号の強度を測定し、移動端末がその転送電力を増加させたり減少させるように要求する電力制御命令を前記移動端末に送る。
【０００６】
現在の標準規格は、例えば、定義されたステップ大きさによって移動端末の転送電力の調整を許諾する。
【発明の開示】
【課題を解決するための手段】
【０００７】
本発明の一様相では、移動端末の電力制御ステップ大きさを調整する方法について記載する。この方法は、ネットワークエンティティから信号条件データを受信する段階と、前記信号条件データに基づいて前記電力制御ステップ大きさを調整する段階と、を含む。
【０００８】
好ましくは、前記信号条件データは、前記移動端末が電力を増加するように指示する電力上昇命令、または、前記移動端末が電力を減少するように指示する電力減少命令を個別的に含む電力レベル命令を含み；前記電力制御ステップ大きさ調整方法は、第１の予め定められた連続した個数の前記電力レベル命令が電力上昇命令を含む場合に前記ステップ大きさを増加する段階と、第２の予め定められた連続した個数の前記電力レベル命令が電力減少命令を含む場合に前記ステップ大きさを減少させる段階と、をさらに含む。
【０００９】
好ましくは、前記信号条件データは、前記移動端末による以前の転送が前記ネットワークエンティティにより成功的に受信されたことを示す確認ＡＣＫ、または、前記移動端末による以前の転送が、前記ネットワークエンティティにより成功的に受信されなかったことを示す否定確認（Ｎｅｇａｔｉｖｅ−ａｃｋｎｏｗｌｅｄｇｅｍｅｎｔ）ＮＡＣＫのいずれかを含む転送制御情報パラメータを含み；前記調整する段階は、第１の予め定められた連続した個数の前記転送制御情報パラメータが否定確認ＮＡＣＫを含むと、前記ステップ大きさを増加させる段階と、前記第２の予め定められた連続した個数の前記転送制御情報パラメータが確認ＡＣＫを含むと、前記ステップ大きさを減少させる段階と、をさらに含む。
【００１０】
ＡＣＫ/ＮＡＣＫ信号はＡＲＱを支援すべく、該当するリンク上のパケットデータチャンネルに応答するものである（順方向パケットデータチャンネルに応答するためのＡＣＫ／ＮＡＣＫ）。ＡＣＫ／ＮＡＣＫはそれぞれ、パケットがデコーディングに成功したか失敗したかを示す。
【００１１】
好ましくは、前記信号条件データは、前記移動端末による以前の転送が前記ネットワークエンティティにより成功的に受信されたことを示る確認ＡＣＫ、または、前記移動端末による以前の転送が前記ネットワークエンティティにより成功的に受信されなかったことを示す否定確認ＮＡＣＫを含む。前記調整する段階は、前記ネットワークエンティティから前記移動端末が電力を増加するように指示する電力増加命令、または、前記移動端末が電力を減少するように指示する電力減少命令のいずれかを含む電力レベル命令を受信する段階と、第１の予め定められた連続した個数の前記電力レベル命令が電力上昇命令を含み、第２の予め定められた連続した個数の前記転送制御情報パラメータが否定確認ＮＡＣＫを含むと前記ステップ大きさを増加する段階と、第３の予め定められた連続した個数の前記電力レベル命令が電力減少命令を含み、第４の予め定められた連続した個数の前記転送制御情報パラメータが確認ＡＣＫを含むと前記ステップ大きさを減少する段階と、を含む。
【００１２】
好ましくは、前記信号条件データは、ロック（ｌｏｃｋ）またはノーロック（ｎｏ  ｌｏｃｋ）条件を含むチャンネル品質指示子を含む。前記調整する段階は、前記チャンネル品質指示子が第１の予め定められた時間周期の間にノーロック（ｎｏ  ｌｏｃｋ）条件を示すと前記ステップ大きさを増加する段階と、前記チャンネル品質指示子が第２の予め定められた時間周期の間にロック（ｌｏｃｋ）条件を示すと、前記ステップ大きさを減少する段階と、をさらに含む。これが、特定システムでは、データレート制御（ｄａｔａ  ｒａｔｅ  ｃｏｎｔｒｏｌ）ロック指示子と呼ばれることができる。
【００１３】
好ましくは、前記信号条件データは、複数のパケット転送で転送されるサブパケットのための転送制御情報を含み、前記複数のパケット転送のそれぞれのための前記転送制御情報は、前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む。
【００１４】
好ましくは、前記調整する段階は、前記ネットワークエンティティから前記複数のパケット転送のそれぞれのための電力レベル命令を受信する段階を含み、この電力レベル命令のそれぞれは、前記移動端末が電力を増加するように指示する電力増加命令または前記移動端末が電力を減少するように指示する電力減少命令を含む。前記調整段階はまた、前記複数のパケット転送のうち一つの第１または第２のサブパケットと関連した転送制御情報が転送確認ＡＣＫを含み、前記第１または第２の複数のパケット転送と関連した電力レベル命令が電力減少命令を含むか、または、前記複数のパケット転送の最後に受信されたサブパケットと関連した転送制御情報が転送否定確認ＮＡＣＫを含み、前記最後に受信されたサブパケットと関連した電力レベル命令が電力上昇命令を含むと、前記ステップ大きさを増加させる段階をさらに含む。
【００１５】
本発明の一特徴によれば、前記信号条件データは、複数のパケット転送で転送されるサブパケットのための転送制御情報を含み、この複数のパケット転送のそれぞれのための前記転送制御情報は、前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む。好ましくは、前記調整段階は、前記複数のパケット転送の第１のサブパケットと関連した転送制御情報が転送確認ＡＣＫを含むと、前記ステップ大きさを減少する段階をさらに含む。
【００１６】
本発明の他の特徴によれば、前記信号条件データは、複数のパケット転送で転送されるサブパケットに関する転送制御情報を含み、前記複数のパケット転送のそれぞれのための前記転送制御情報は、前記移動端末による以前の転送が前記ネットワークエンティティにより成功的に受信されたことを示す確認ＡＣＫ、または、前記移動端末による以前の転送が前記ネットワークエンティティにより成功的に受信されなかったことを示す否定確認ＮＡＣＫを含む。前記調整する段階は、前記複数のパケット転送の第１のサブパケットと関連した転送制御情報が転送確認ＡＣＫを含み、前記第１のサブパケットと関連した電力レベル命令が電力減少命令を含むと、前記ステップ大きさを減少する段階をさらに含む。
【００１７】
本発明のさらに他の特徴によれば、前記信号条件データは、システム負荷指示子を含み、前記調整する段階は、前記システム負荷指示子が、予め定められたしきい値レベル以下に落ちる前記ネットワークのローディング（ｌｏａｄｉｎｇ）を指示する時にのみ発生するようにする。ここでの基本的なアイディアは、負荷が大きいと、電力制御ステップ大きさ変化はシステム不安定を防止するために最小化されるべきであるということに着目している。一方、負荷が小さいと、電力制御ステップ大きさ変更は自由になっても良い。
【００１８】
本発明のさらに他の特徴によれば、前記調整段階は、前記信号条件データに基づいて複数のステップ大きさのそれぞれに対するステップ大きさ遷移確率を決定する段階と、前記遷移確率に基づいて前記ステップ大きさを増加または減少する段階と、を含む。
【００１９】
本発明の他の様相は、移動端末の電力制御ステップ大きさを計算する方法に関する。この方法は、前記移動端末と関連した信号条件データを決定する段階と、前記信号条件データに基づいて前記電力制御ステップ大きさを調整する段階と、前記移動端末に前記電力制御ステップ大きさを通信する段階と、を含む。
【００２０】
本発明のさらに他の様相は、ネットワークエンティティと通信するための移動端末に関する。この移動端末は、前記ネットワークエンティティと通信するＲＦモジュールと、使用者に情報をディスプレイするディスプレイと、前記移動端末の動作と関連したデータを保存するメモリーと、前記ネットワークエンティティから信号条件データを受信し、該信号条件データに基づいて前記電力制御ステップ大きさを調整することによって前記移動端末の電力制御ステップ大きさを調整するように構成された処理器と、を含む。
【発明を実施するための最良の形態】
【００２１】
以下、添付の図面を参照しつつ、本発明の具体的な実施例について説明する。本技術分野における当業者は、本発明の範囲を逸脱しない範囲内で他の実施例を利用でき、プロセス上の変更だけでなく、構造的・電気的変更なども実行可能である。
【００２２】
図１を参照すると、無線通信ネットワーク１が示されている。加入者は、ネットワークサービスに接続するために移動端末２を使用する。移動端末２は、携帯電話のような携帯用通信機器、車両に設置される通信機器または固定通信機器とすれば良い。
【００２３】
移動端末２からの電磁気波は、ノードＢ（Ｎｏｄｅ  Ｂ）とも知られたＢＴＳ（Ｂａｓｅ  ｔｒａｎｓｃｅｉｖｅｒ  ｓｙｓｔｅｍ）３に逆方向リンクを通じて転送される。ＢＴＳは、無線波を転送するためのアンテナ及び装備のような無線機器を含む。接続ネットワーク６は、１つまたはそれ以上のＢＴＳからの転送を受信するＢＳＣ（Ｂａｓｅ  ｓｔａｔｉｏｎ  ｃｏｎｔｒｏｌｌｅｒ）４を含む。ＢＳＣは、ＢＴＳ及びＭＳＣ（Ｍｏｂｉｌｅ  Ｓｗｉｔｃｈｉｎｇ  ｃｅｎｔｅｒ）５または内部ＩＰネットワーク１７とメッセージを交換することによって各ＢＴＳからの無線転送の制御及び管理を提供する。
【００２４】
接続ネットワーク６は、回線交換基幹網（Ｃｉｒｃｕｉｔ  ｓｗｉｔｃｈｅｄ  ｃｏｒｅ  ｎｅｔｗｏｒｋ；ＣＳＣＮ）７及びパケット交換基幹網（Ｐａｃｋｅｔ  ｓｗｉｔｃｈｅｄ  ｃｏｒｅ  ｎｅｔｗｏｒｋ；ＰＳＣＮ）８とメッセージを交換し、データを転送する。ＣＳＣＮは従来の音声通信サービスを提供し、ＰＳＣＮはインターネットアプリケーション及びマルチメディアサービスを提供する。
【００２５】
ＭＳＣ ５は、移動端末２へ／からの従来の音声通信のためのスイッチング（ｓｗｉｔｃｈｉｎｇ）を提供し、このような能力を支援するために情報を保存することができる。ＭＳＣは、例えば、公衆交換電話網（Ｐｕｂｌｉｃ  ｓｗｉｔｃｈｅｄ  ｔｅｌｅｐｈｏｎｅ  ｎｅｔｗｏｒｋ；ＰＳＴＮ）（図示せず）または統合サービスデジタル網（Ｉｎｔｅｇｒａｔｅｄ  ｓｅｒｖｉｃｅｓ  ｄｉｇｉｔａｌ  ｎｅｔｗｏｒｋ；ＩＳＤＮ）のような他の公衆ネットワークだけでなく、１つ以上の接続ネットワーク６と連結されることができる。ＶＬＲ（Ｖｉｓｉｔｏｒ  ｌｏｃａｔｉｏｎ  ｒｅｇｉｓｔｅｒ）９は、音声通信を訪問する加入者にまたは加入者からの音声通信を制御するための情報を取り出す。
【００２６】
使用者識別は、ＨＬＲ（Ｈｏｍｅ  ｌｏｃａｔｉｏｎ  ｒｅｇｉｓｔｅｒ）１０に割り当てられ、加入者情報（すなわち、電子シリアル番号（ｅｌｅｃｔｒｉｃ  ｓｅｒｉａｌ  ｎｕｍｂｅｒ））、移動性ディレクトリ（ｄｉｒｅｃｔｏｒｙ）番号、プロファイル（ｐｒｏｆｉｌｅ）情報、現在位置及び認証周期のような記録目的データを保持する。ＡＣ（Ａｕｔｈｅｎｔｉｃａｔｉｏｎ  ｃｅｎｔｅｒ）１１は、移動端末２と関連した認証情報を管理する。ＡＣは、ＨＬＲ１０内に存在することができ、１つ以上のＨＬＲにサービスすることができる。ＭＳＣ ５及びＨＬＲ １０及びＡＣ １１間のインターフェースは、ＩＳ−４１規格インターフェース１８として示されている。
【００２７】
ＰＳＣＮ ８のＰＤＳＮ（Ｐａｃｋｅｔ  ｄａｔａ  ｓｅｒｖｉｎｇ  ｎｏｄｅ）１２は、移動端末２への及び移動端末２からのパケットデータトラフィックに対するルーティング（ｒｏｕｔｉｎｇ）を提供する。ＰＤＳＮ１２は、移動端末２へのリンク階層セッションを設定、維持及び終了させ、１つ以上の接続ネットワーク６及び１つ以上のＰＳＣＮ ８とインターフェースする。ＡＡＡ（Ａｕｔｈｅｎｔｉｃａｔｉｏｎ、ａｕｔｈｏｒｉｚａｔｉｏｎ  ａｎｄ  ａｃｃｏｕｎｔｉｎｇ）サーバー１３は、パケットデータトラフィックと関連したインターネットプロトコル認証、保安及び課金機能を提供する。ＨＡ（Ｈｏｍｅ  ａｇｅｎｔ）１４は、移動端末ＩＰ登録の認証、ＦＡ（ｆｏｒｅｉｇｎ  ａｇｅｎｔ）１５への／からのパケットデータをリダイレクト（ｒｅｄｉｒｅｃｔ）し、ＡＡＡサーバー１３からの使用者のための予備（ｐｒｏｖｉｓｉｏｎｉｎｇ）情報を受信する。または、ＨＡ１４は、ＰＤＳＮ １２への安定した通信を設立、維持及び終了し、動的ＩＰアドレスを割り当てる。ＰＤＳＮは、内部ＩＰネットワーク１７を通じたＡＡＡサーバー１３、ＨＡ１４及びインターネット１６との通信を示す。
【００２８】
図１に例示した実施例で、無線通信ネットワーク１は、ＣＤＭＡ通信技術を利用する１ｘＥＶＤＯのための周知の標準規格に基づいて動作する。本発明の実施例の動作は、他のタイプの無線及び他の通信システムにおいても可能である。したがって、本発明の実施例の動作は、１ｘＥＶＤＯシステムに対して説明されているが、本発明の実施例の動作は、他の多様なタイプの通信システムに対しても説明されることができる。本発明の実施例による１ｘＥＶＤＯシステムで動作可能な移動端末２の一例は、以降、図面を参照しつつより詳細に説明される。
【００２９】
ＢＴＳ ３から移動端末２への転送は、順方向リンク転送と呼ばれ、移動端末２からＢＴＳ３への転送は、逆方向リンク転送と呼ばれる。一般的に、順方向リンク転送は、システム規格によって定義される複数のフレームを含む。例示的な通信システムにおいて、信号は、パイロットチャンネル、制御チャンネル、補助（ｓｕｐｐｌｅｍｅｎｔａｌ）チャンネル及び専用チャンネルのための信号を一般的に持つ複数のチャンネル（順方向リンクチャンネル）上でのフレームの受信の間に事実上受信される。補助チャンネルは、インターリービングされ拡散されたデータ信号を含む。専用チャンネルは、補助チャンネル上に転送されるデータに関する信号情報を含む。
【００３０】
連結が開くと、移動端末２は、順方向トラフィックチャンネル、逆方向トラフィックチャンネル及び逆方向電力制御チャンネルが割り当てられることができる。複数の連結が１つのセッションに発生することができる。一般的に、１ｘＥＶ−ＤＯシステム内には、２つの連結状態、すなわち、閉連結（ｃｌｏｓｅｄ  ｃｏｎｎｅｃｔｉｏｎ）及び開連結（ｏｐｅｎ  ｃｏｎｎｅｃｔｉｏｎ）がある。
【００３１】
閉連結は、移動端末２にいかなる専用無線リンク資源も割り当てられておらず、移動端末２と接続ネットワーク６間の通信が接続チャンネル及び制御チャンネル間で実行されることを意味する。開連結は、移動端末２に順方向トラフィックチャンネル、逆方向電力制御チャンネル及び逆方向トラフィックチャンネルが割り当てられることができ、移動端末２と接続ネットワーク６間の通信が、制御チャンネル上では勿論、これら割り当てられたチャンネル上で実行される状態を意味する。
【００３２】
本発明の実施例によれば、移動端末の逆方向リンク電力制御ステップ大きさを調整したり変更させる多様な技術が説明される。３つの一般化した実施例が記載される。これらの実施例は、漸進的なステップ大きさ変更、瞬間的な（ｉｎｓｔａｎｔａｎｅｏｕｓ）ステップ大きさ変更のためのステップ大きさの急な変化及び確率的なステップ大きさ変化と称される。
【００３３】
言い換えると、ステップ大きさのセット（ｓｅｔ）は、移動端末ごとに異なってくることができる。例えば、よくないチャンネル条件を持つ移動端末に対して、前記移動端末には大きい範囲を持つステップ大きさの大きいセットが割り当てられることができる。反対に、良いチャンネル条件を持つ端末に対しては、ステップ大きさ範囲をより小さくさせることができる。ここで、チャンネル条件に加えて、ステップ大きさセットは、移動端末のクラス（すなわち、プラチナム対シルバー）またはネットワーク位置のアプリケーションによって決定されることができる。ネットワーク位置は、高速道路、居住地域及び商業地域のような多様な位置を含む。付加的に、ステップ大きさのセットは、移動端末電力増幅器設計に当ってより安価な移動端末のための減少した要求事項を許容するために用いられることができる。
【００３４】
図２は、本発明の一実施例によるステップ大きさを調整する方法を説明するフローチャートである。ブロック１００では、ネットワークエンティティから信号条件データを受信する。ネットワークエンティティの例には、接続ネットワーク６（図１）の様々な構成要素のいずれかが含まれる。ブロック１０２では、受信した信号条件データに基づいて電力制御ステップ大きさを調整する。
【００３５】
ここで詳細に説明されるように、ネットワークからの順方向リンク上で受信された信号条件データの多様なタイプは、電力制御ステップ大きさを調整するための基礎とすることができる。一般的に、信号条件データは、例えば、電力レベル命令履歴（電力上昇／電力下降）、移動端末から受信された確認（Ａｃｋｎｏｗｌｅｄｇｅｍｅｎｔ）及び否定確認（Ｎｅｇａｔｉｖｅ  ａｃｋｎｏｗｌｅｄｇｅｍｅｎｔ）信号、システム負荷指示子（すなわち、逆方向活性化ビット（Ｒｅｖｅｒｓｅ  ａｃｔｉｖｉｔｙ  ｂｉｔ；ＲＡＢ））、ＲＯＴ（Ｒｉｓｅ−ｏｖｅｒ−ｔｈｅｒｍａｌ）及びＩＯＴ（Ｉｎｔｅｒｆｅｒｅｎｃｅ−ｏｖｅｒ−ｔｈｅｒｍａｌ）、チャンネル品質指示子（Ｃｈａｎｎｅｌ  ｑｕａｌｉｔｙ  ｉｎｄｉｃａｔｏｒ；ＣＱＩ）（すなわち、ＣＱＩ  ｌｏｃｋ条件、ＤＲＣロック条件（ＬＯＣＫまたはＮＯＬＯＣＫ）、またはＤＲＣロック指示子）、これらの組み合わせなどを含む。
【００３６】
付加的にまたはこれと別途に、信号条件データは、移動端末の最近転送電力、移動端末の速力、受信された順方向リンクパイロット電力の履歴（ｈｙｓｔｒｏｙ）、順方向リンクトラフィックチャンネルのビット誤り率の履歴及び順方向リンクトラフィックチャンネルのパケット誤り率の履歴をさらに含むことができる。必要時には、利用可能なステップ大きさのセットがステップ大きさの定義された番号を含むように変更されることができる。
【００３７】
まず、外部ループステップ大きさ調節とも呼ばれる漸進的な電力制御ステップ大きさ調節について述べる。漸進的な電力制御ステップ大きさ調節を遂げるための様々な異なる技法がある。その第一は、順方向リンク上の移動端末２により受信された信号条件データが電力レベル命令（図２のブロック１００）を含む場合である。これらの電力レベル命令は、移動端末が電力を増加させるように指示する電力上昇命令または移動端末が電力を減少させるように指示する電力下降命令を別個に含むことができる。電力レベル命令を受信し且つ考慮する時に、移動端末は、電力レベル命令の予め定められた連続した番号（すなわち、２、３、４等）が電力上昇命令（図２のブロック１０２）を含むと、逆方向リンク電力レベルステップ大きさを増加させることができる。この連続した番号は、動作長さ（ｒｕｎ  ｌｅｎｇｔｈ）とも呼ばれる。
【００３８】
ただ今説明された実施例の特定例は、移動端末２が３つの連続した電力上昇命令を受信する時に発生する。このようなシナリオは、電力制御ステップ大きさにおいて増加につながる。逆に、ステップ大きさは、電力レベル命令の予め定められた連続した番号（すなわち、２、３、４等）が電力下降命令を含むと減少することができる。または、ステップ大きさは、前記電力レベル制御命令の動作長さが定義された番号よりも少ないと減少されることができる。例えば、２つ以下（すなわち、上昇、下降、上昇、下降）の連続した電力レベル制御命令がステップ大きさにおいて減少を指示するのに使用されることができる。
【００３９】
他の実施例によれば、漸進的な電力制御ステップ大きさ調節は、移動端末により順方向リンク上で受信されたＡＣＫ／ＮＡＣＫ信号に基づいてなされることができる。この実施例で、信号条件データは、移動端末による以前の転送が接続ネットワーク６により成功的に受信されたことを示す確認、または移動端末による以前の転送が接続ネットワークにより成功的に受信されなかったことを示す否定確認（Ｎｅｇａｔｉｖｅ  ａｃｋｎｏｗｌｅｄｇｅｍｅｎｔ；ＮＡＣＫ）のような転送制御情報を含むことができる。したがって、逆方向リンク電力制御ステップ大きさは、１番目の予め定められた連続した番号のＮＡＣＫが受信されると増加されることができる。反対に、２番目の予め定められた連続した番号のＡＣＫが受信されるとステップ大きさは減少されることができる。
【００４０】
一つの可能な変動は、転送制御情報を含む多様なサブパケット転送を追跡したり識別することである。この例では、ステップ大きさは、前記転送制御情報が１番目のサブパケット転送に確認ＡＣＫを含むと減少されることができる。
【００４１】
漸進的な電力制御ステップ大きさ調節を提供する他の技術は、電力レベル命令履歴（電力上昇／電力下降）及びＡＣＫ／ＮＡＣＫ信号をいずれも含むことができる。この実施例で、ステップ大きさは１番目の予め定められた連続した番号の電力上昇命令及び２番目の予め定められた連続した番号のＮＡＣＫが受信されると増加されることができる。一方、ステップ大きさは３番目の予め定められた連続した番号の電力下降命令及び４番目の予め定められた連続した番号のＡＣＫが受信されると減少されることができる。
【００４２】
再度、変動は、転送制御情報を含む多様なサブパケット転送を追跡したりまたは識別することである。この一例ではしかし、転送制御情報が１番目のサブパケット転送内にＡＣＫを含み、電力下降命令が受信されると、ステップ大きさは減少されることができる。受信されたＡＣＫのタイミング（ｔｉｍｉｎｇ）及び電力レベル命令は、このようなパラメータと一般的に関連している遅延の観点からの考慮が典型的に要求されることがわかる。
【００４３】
漸進的な電力制御ステップ大きさ調節を提供するための他の技術も、例えば、逆方向活性化ビット（ＲＡＢ）のようなシステム負荷指示子を用いることを含む。この実施例では、ステップ大きさの調節（図２のブロック１０２）は、特定のネットワーク負荷レベルと関連することができる。例えば、ネットワークが相対的に高いレベルの活性化を経験していると、入念に逆方向リンク電力レベルを制御することが好ましい場合がある。結論的に、移動端末の電力制御ステップ大きさの調節は、ＲＡＢが活性化のしきい値（ｔｈｒｅｓｈｏｌｄ）レベルを示すと許容されない。また、このような活性化のしきい値レベルに到達すると、ステップ大きさはステップ大きさ内で最も小さい許容される増加を用いて増加されることができる。
【００４４】
さらに他の実施例によれば、漸進的な電力制御ステップ大きさ調節は、例えば、ＤＲＣロックのようなチャンネル品質指示子を含む信号条件データを用いて遂げることができる。例えば、移動端末２は、接続ネットワーク６からチャンネル品質指示子を受信することができる。この指示子は、ＬＯＣＫ条件またはＮＯＬＯＣＫ条件のいずれかを示すことができる。ＬＯＣＫ条件は、ネットワークエンティティが移動端末から逆方向リンク信号を受信していることを示し、ＮＯ ＬＯＣＫ条件は、この接続ネットワークが前記移動端末から逆方向リンク信号を受信していないことを示す。したがって、逆方向リンク電力制御ステップ大きさの調整は次のようにして遂げることができる。第一に、データレート（ｒａｔｅ）制御指示子が１番目の予め定められた時間周期の間にＮＯＬＯＣＫ条件を示すと、ステップ大きさは増加されることができる。また、データレート制御指示子が２番目の予め定められた時間周期の間にＬＯＣＫ条件を示すと、ステップ大きさは増加されることができる。
【００４５】
上述した技術の全部または一部は、漸進的な電力制御ステップ大きさ調節のための付加的なオプションを提供するために結合されることができる。かかる実施例の一例について説明する。この一例は、電力レベル命令履歴（電力上昇／電力下降）、ＡＣＫ／ＮＡＣＫ信号及びチャンネル品質指示子（すなわち、ＤＲＣロック）のような信号条件データを利用する。
【００４６】
この実施例で、ステップ大きさは、予め定められた連続した電力上昇命令、予め定められた連続した個数のＮＡＣＫを受信し、データレート制御指示子が予め定められた時間周期の間にＮＯＬＣＯＫ条件を示すと増加されることができる。ステップ大きさは、予め定められた連続した個数の電力下降命令、ＡＣＫ（最初または以降のサブパケット後に）を受信し、データレート制御指示子が予め定められた時間周期の間にＬＣＯＫ条件を示すと減少されることができる。
【００４７】
前述した実施例は、単一搬送波から順方向リンクで信号条件データを受信する移動端末の文脈（ｃｏｎｔｅｘｔ）で説明された。しかし、これらの実施例はそれに限定されず、例えば、多重搬送波１ｘＥＶＤＯ（ＮｘＥＶＤＯまたはＲｅｖ．Ｂとも知られている）にも適用可能である。例えば、予め定められた連続した個数の否定確認ＮＡＣＫを受信すると、ステップ大きさが増加されうる実施例を考慮しよう。多重搬送波具現において、論理“ＯＲ”動作は、１つ以上の搬送波が予め定められた連続した個数のＮＡＣＫを経験するとステップ大きさが増加されるように用いられることができる。この多重搬送波具現は、ここで開示された信号条件データのいずれか１つを用いて遂げることができる。
【００４８】
第二の一般化した実施例は、瞬間的な（ｉｎｓｔａｎｔａｎｅｏｕｓ）ステップ大きさ変化とも呼ばれるステップ大きさ調節の急な変化に関するものである。この実施例は、図３に示す表と連携して説明される。この表は、確認チャンネル（Ａｃｋｎｏｗｌｅｄｇｅｍｅｎｔ  ｃｈａｎｎｅｌ；ＡＣＫＣＨ）上の１番目の３個の応答に対する可能な値（ＡＣＫ／ＮＡＣＫ）を含む。この例は、自動再送要請（Ａｕｔｏｍａｔｉｃ  ｒｅｐｅａｔ  ｒｅｑｕｅｓｔ；ＡＲＱ）動作のために、最大２回の再転送（または、これと同一に最大３個のサブパケット転送）を仮定する。多様なステップ大きさは、多様なＡＣＫ／ＮＡＣＫ応答及び受信された電力制御命令（上昇／下降）と関連付けて示される。これら応答のそれぞれは、典型的には、複数の別個のパケット転送のうち一つから転送されたサブパケット内に含まれる。電力制御命令は、移動端末により受信されたパケット転送でも同様に受信される。
【００４９】
この表に示すように、ステップ大きさは２条件のうち一つで増加されることができる（０．５ｄＢから１．０ｄＢまたは１．５ｄＢに）。その一つは、１番目または２番目のサブパケット内でＡＣＫを受信し、この１番目または２番目のサブパケットのうち一つと関連した電力下降命令を受信した場合である。もう一つは、最後に受信したサブパケット内でＮＡＣＫを受信し、この最後に受信したサブパケットと関連した電力上昇命令を受信した場合である。
【００５０】
ただ今説明した実施例において変動は可能である。他の例として、定義された数字の電力制御命令（すなわち、２、３等）または他の信号条件データパラメータが受信されると、ステップ大きさは増加されることができる。他の可能性は、システム負荷指示子（すなわち、逆方向活性化ビット（ＲＡＢ））及びチャンネル品質指示子（すなわち、ＤＲＣロック）のような信号条件データパラメータで電力制御命令の前記上昇／下降パラメータを取って代わることを含むことができる。かかる実施例の例が、図４及び図５の表に示されている。特に、図４は、システム負荷指示子（高／低）に関し、図５は、チャンネル品質指示子（ＬＣＯＫ／ＮＯＬＣＯＫ）に関するものである。これらの実施例において、ステップ大きさは上に説明した方式と同様に増加されることができる。他の実施例は、電力制御命令（図３）、システム負荷指示子（図４）及びチャンネル品質指示子（図５）のうち１つ以上の組み合わせを利用することを含む。
【００５１】
このような実施例は、単一セクター（または単一搬送波）から多様な信号条件データパラメータを受信する移動端末の文脈で説明されている。しかし、これらの実施例はそれに制限されず、本発明は、多重セクター（または多重搬送波）からのデータ受信にも適用される。例えば、電力制御命令（電力増加／減少）が用いられた実施例を考慮しよう。マルチセクター具現では、例えば、１つ以上のセクターからの受信された電力命令が電力下降命令であれば、結果的なセット（図３）が電力減少命令となるように論理“ＯＲ”動作が用いられることができる。また、このようなアプリケーションは他の信号条件データパラメータのいずれかにも適用されることができる。
【００５２】
他の実施例は、図２〜５と共に論議された多様なステップ大きさ調節を、順方向リンク電力制御に適用することを含む。すなわち、順方向リンク電力制御のステップ大きさの調節は、確認された図面によって説明された多様な技術を用いても遂げることができる。例えば、図３を参照すると、多様なＡＣＫ／ＮＡＣＫ応答が逆方向リンク確認チャンネルから獲得されることができ、電力制御命令が移動端末から受信されても良い。
【００５３】
他の様相では、接続ネットワークは、未来の電力制御命令を決定すべく、ネットワーク内で動作する１つ以上の移動端末に送られた電力制御命令の履歴（ｈｉｓｔｏｒｙ）を用いることができる。移動端末は、新しい電力出力レベルを決定すべく、１つ以上の以前電力制御命令と結合して使われる前記符号化した電力制御命令を受信する。
【００５４】
例えば、移動端末は、電力上昇命令を含む予め定められた連続した個数（すなわち、２、３、４等）の電力レベル命令を接続ネットワークから受信することができる。このようなシナリオにおいて、移動端末は、それ以降に連続して受信された電力上昇命令のそれぞれに続く相対的により大きい電力上昇ステップ大きさを使用することができる。電力制御ステップ大きさは、ネットワークと協力したりまたは単独で移動端末によりあらかじめ定められることができる。類似の技術が電力下降の状況で利用されることができる。
【００５５】
前述した例は、図６及び図７に示されている。特に、図６は、接続ネットワークにより送られた多様な電力制御命令及び移動端末が応答できる可能なステップ大きさ調節を説明する表を含む。ネットワークからの単に２つの連続した電力レベル命令が示されているが、説明された方法は、より多い個数の命令の使用にも同等に適用されることができる。
【００５６】
図７は、２つの別個のネットワークエンティティにより送られた多様な電力制御命令及び移動端末が応答できる可能なステップ大きさ調節を説明する表である。ＡＮ１は、一つのセクター及び他のセクターからの命令であるＡＮ ２からの命令を表す。移動端末は、典型的には、サービングネットワークエンティティのハンドオフ領域内に位置する時にそのようなシナリオに会うこととなる。前記アイディアは、二つ以上のセクター（またはＡＮ）が移動端末のアクティブセット（ａｃｔｉｖｅ  ｓｅｔ）内にある状況で一般化されることができる。
【００５７】
第三の一般化された実施例は、確率的ステップ大きさ変化と関連しており、図８に示された状態図と結び付いて説明されることができる。まず、Ｒｅｖ．Ａ１ｘＥＶＤＯで、例えば、電力制御命令のレートは、６００回／秒から１５０回／秒に減少されることができる。不正確な情報によって引起こされた過多な電力変更は、ネットワークのシステム性能の劣化を招く恐れがある。これは、例えば、予想よりも高いＲｏＴ（Ｒｉｓｅ  ｏｖｅｒ  ｔｈｅｒｍａｌ）の変動または移動端末での過度な電力消耗から誘発されることができる。電力制御ステップ大きさの決定におけるこのような不正確性を補償すべく、加重情報（ｗｅｉｇｈｔｅｄ  ｉｎｆｏｒｍａｔｉｏｎ）が電力制御ステップ大きさを決定するためのプロセスの一部として使用されることができる。この過程は、以降説明される例である確率的ステップ大きさ変更と称されることができる。
【００５８】
初期確率は、例えば、セッションが折衝される時に、ＭＴにより決定されたりネットワークにより割り当てられることができる。
【００５９】
更新された確率は、下記のように計算されることができる。
【００６０】
更新確率（ｐ）＝初期確率＋信号条件データの移動平均
信号条件データが、例えば、電力レベル命令履歴（電力上昇／電力下降）、移動端末により受信されたＡＣＫ／ＮＡＣＫ信号、システム負荷指示子（すなわち、ＲＡＢ）、チャンネル品質指示子（すなわち、ＤＲＣロック）、これらの結合及びこれらと類似なものを含むことができることを想起しよう。
【００６１】
図８の状態図を参照すると、４つの可能な電力制御ステップ大きさ間の遷移が多様な遷移確率に基づいて示されている。ここで、ステップ大きさの変更は、決定的（ｄｅｔｅｒｍｉｎｉｓｔｉｃ）というよりは確率的（ｐｒｏｂａｂｉｌｉｓｔｉｃ）である。図８の例は、電力制御命令に関して説明されているが、類似の結果が信号条件データの説明されたタイプのいずれか１つを用いて獲得されることができる。明瞭にするために、ステップ大きさ間の遷移は、隣接するステップ大きさに制限されていることが示されているが、これに限定されず、説明されたステップ大きさのいずれか間の遷移も可能である。
【００６２】
遷移確率を計算するのに用いられる特別な方法は、本発明の実施例に重要でない。その例として、遷移確率を計算する二つの可能な技術が、以下に説明される。
【００６３】
第一の技術では、遷移確率が電力制御命令に基づいて決定されることができる。特に、第一の動作は、電力制御命令観察ウィンドを設定し、その後、この時間の間に発生する電力制御命令をペアリング（ｐａｉｒｉｎｇ）することを含む。次の動作は、（上昇、下降）または（下降、上昇）のような交互に表れる電力制御命令のペア（ｐａｉｒ）の個数を数えることを含む。他の動作は、下記の方程式を用いて確率（α）を決定する。
【００６４】
確率（α）＝（交互に表れる電力制御命令のペア個数）／（ペアの総個数）
次の動作は、４つの電力制御命令をグルーピングし、その後、（上昇、上昇、上昇、上昇）または（下降、下降、下降、下降）のような電力制御命令の４個の連続した発生の個数を数えることを提供する。
【００６５】
他の動作は、次のように確率を決定する。
【００６６】
確率（λ）＝（同じ電力制御命令のグループ個数）／（４個の要素を持つグループの総個数）
他の動作は、例えば、数学式１を用いて遷移確率行列を計算することを含む。
【００６７】
【数１】
2009522913.tif 000003
ここで、α＝Ｐ０．５／０．５で、λ＝Ｐ０．５／０．５である。
【００６８】
上の動作は、予め定められた電力制御命令によって観察ウィンドをスライディングさせることにより（観測ウィンドの設定は除く）反復されることができる。最後の動作は、以前に獲得された遷移確率で移動平均を獲得することを含む。
【００６９】
遷移確率を計算する第二の技術について説明する。その一つの動作は、電力制御命令観測ウィンドを設定することを含む。次に、同じ電力制御命令の動作長さが計算される。例えば、（上昇、下降、上昇）の動作長さは一で、（上昇、上昇、上昇）の動作長さは三である。
【００７０】
観測された動作長さが一であれば、
α＝１である、または、小さい。
【００７１】
観測された動作長さが観測ウィンド内の電力制御命令のカーディナリティ（ｃａｒｄｉｎａｌｉｔｙ）と同一であれば、
α＝０である、または、大きい。
【００７２】
他の動作は、１を動作長さ一として連結し、０を観測ウィンド内の電力制御命令のカーディナリティの動作長さとして連結する関数から各動作長さに確率を割り当てる。
【００７３】
前記関数は、一例として、次のような線形関数でありうる。
【００７４】
確率＝−（１／２）（動作長さ−１）＋１
前記関数は、本の例として、次のような指数関数でありうる。
【００７５】
確率＝ｅ−（動作長さ−１）Ｕ（１−動作長さ）
ここで、Ｕは単位階段関数である。
【００７６】
他の動作は、予め定められた電力制御命令により観測ウィンドをスライディングすることを含む。最後に確率は再計算されることができ、平均は、以前に獲得された確率により獲得されることができる。
【００７７】
上の２つの例で、２つ及び４つの電力制御命令をグルーピングし、動作長さは３とした。しかし、グルーピング及び動作長さは、正確性及び複雑性間の要求される折衝を受け入れるように変更されることができる。
【００７８】
また、初期確率は、使用者等級（すなわち、プラチナム、ゴールド、シルバー、またはブロンズ）またはＱｏＳ（Ｑｕａｌｉｔｙ  ｏｆ  ｓｅｒｖｉｃｅ）要求に基づいて他の使用者にそれぞれ別に割り当てられることができ（すなわち、専用確率電力制御）、使用者のグループ（すなわち、グループ傾向（ｇｒｏｕｐ−ｗｉｓｅ）の確率電力制御）にそれぞれ別に割り当てられることができ、全ての使用者に同一に割り当てられることができる（共通確率電力制御）。
【００７９】
電力制御ステップ大きさを調整する様々な代案が可能である。一オプションは、ソフトまたはソフターハンドオフシナリオを受け入れるように説明された技術を一般化するものである。例えば、与えられた三方向ハンドオフ（ｔｈｒｅｅ−ｗａｙ  ｈａｎｄｏｆｆ）で、移動端末は３つの異なる電力レベル命令を受信することができる。したがって、選択されたステップ大きさは３個の命令の一部関数を含むことができる。移動端末が３個の電力下降命令を受けるという特定な場合、ステップ大きさは最も大きい絶対値を持つステップ大きさを用いて選択されることができる。これと違い、３個の電力上昇命令が受信されると、サービングセクターと関連したステップ大きさが使用される。
【００８０】
一様相で、ステップ大きさの他のセットが具現されることができる。他のセットは、例えば、移動端末のトラフィックまたはアプリケーションと関連することができる。例えば、ＶｏＩＰにおいて、相対的に大きいセットのステップ大きさが使われることができる。ステップ大きさのより小さいセットは、データのために用いられることができる。要求時には、他のステップのためのより詳細な量子化（ｑｕａｎｔｉｚａｔｉｏｎ）レベル（すなわち、０．１ｄＢまたはより小さい単位）もまた具現されることができる。
【００８１】
ステップサイズのセットはまた、他の技術を用いて定義されることができる。一例として、実際大きさが特定されることができ（すなわち、０．５、１、１．５、２）、または、例えば０．５ｄＢの差等（ｄｉｆｆｅｒｅｎｔｉａｌ）ステップ大きさとともに大きさの最大が最大ステップ大きさ（すなわち、２）により特定されることができる。いかなる接近方式もステップ大きさの有用なセットを提供する。
【００８２】
ネットワークが、移動端末により使用されるステップ大きさを知る必要があれば、これは多様な技術を用いて決定されることができる。例えば、ステップ大きさの変化は、上位階層メッセージを通じて移動端末からネットワークに送られることができる。これと違い、移動端末は単にサービングセクター（すなわち、非サービングセクターからの統計を無視する）から観察された統計に基づくステップ大きさを決定するように強いられることができる。信号条件データ（すなわち、電力制御命令、ＡＣＫ／ＡＣＫＳなど）が正確に受信される場合を仮定すると、ネットワークは、ＭＴがステップ大きさを決定するために行うのと同じ技術を適用することができる。すなわち、移動端末がまた、ここで開示されたいずれかの技術を用いてステップ大きさを決定することができる。また、移動端末が特定のステップ大きさ制御を持つことに加えて、ステップ大きさはこれとは別にセクター−特異またはネットワーク−特異でありえる。
【００８３】
ステップ大きさを制御する他の方法には、接続ネットワークがこのような計算をし、以降、その計算されたステップ大きさを上位階層またはＭＡＣメッセージを通じて移動端末に伝達することがある。例えば、呼セッション（ｃａｌｌ  ｓｅｓｓｉｏｎ）の間に、接続ネットワークはここで開示されたいずれかの技術を用いてステップ大きさを決定でき、その後、適切なメッセージ内に移動端末にその要求されるステップ大きさを転送することができる。
【００８４】
図９は、移動端末２のブロック図である。移動端末は、処理器（または、デジタル信号処理器）１１０、ＲＦモジュール１３５、電力管理モジュール１０５、アンテナ１４０、バッテリー１５５、ディスプレイ１１５、キーパッド１２０、メモリー１３０、加入者識別モジュール（Ｓｕｂｓｃｒｉｂｅｒ  ｉｄｅｎｔｉｔｙ  ｍｏｄｕｌｅ；ＳＩＭ）カード１２５（オプション事項であっても良い）、スピーカー１４５及びマイクロホン１５０を含む。
【００８５】
使用者は、例えば、キーパッド１２０を押したりマイクロホン１５０を用いて音声活性化したりする方法で電話番号のような指示情報を入力する。処理器１１０は、電話番号をダイヤルするなどのような適切な機能を行うように指示情報を受信し処理する。動作データが、その機能遂行のためにＳＩＭカード１２５またはメモリーモジュール１３０から読み取られる。また、処理器は、使用者の参照及び便宜のためにディスプレイ１１５上に指示及び動作情報を表示することができる。
【００８６】
処理器１１０は、通信を開始し、例えば音声通信データを含む無線信号を転送するために高ＲＦモジュール１３５に指示情報を送る。ＲＦモジュール１３５は、無線信号を受信して転送するための受信器及び送信器を含む。アンテナ１４０は、無線信号の転送及び受信を活性化させる。無線信号を受信すると、ＲＦモジュールは、処理器１１０による処理のために基底帯域周波数への信号を伝達し変換することができる。処理された信号は、例えば、スピーカー１４５を通じて出力される可聴または可読性情報に変形されることができる。処理器はまた、ＣＤＭＡ２０００または１ｘＥＶＤＯシステムに関してここで説明された多様な処理を行うように、必要なプロトコル及び機能を含む。
【産業上の利用可能性】
【００８７】
前述した実施例及び長所は単に例示的でなもので、本発明を制限するものとして解析されてはならない。本発明の教示は、他のタイプの装置及びプロセスに直ちに適用されることができる。本発明の説明は例示的なもので、請求項の範囲を制限するためのものではない。当該技術分野における当業者にとって様々な代替物、変更及び変動は明白である。
【図面の簡単な説明】
【００８８】
【図１】本発明の一実施例による無線通信ネットワークを示す図である。
【図２】本発明の一実施例によってステップ大きさを調整する方法を示すフローチャートである。
【図３】電力制御命令値と関連した多様な確認チャンネル応答テーブルを示す図である。
【図４】システム負荷指示子と関連した多様な確認チャンネル応答テーブルを示す図である。
【図５】チャンネル品質指示子と関連した多様な確認チャンネル応答テーブルを示す図である。
【図６】接続ネットワークにより送られた多様な電力制御命令及び移動端末が応答できる可能なステップ大きさ調節のテーブルを示す図である。
【図７】２つの別個ネットワークエンティティにより送られた多様な電力制御命令及び移動端末が応答できる可能なステップ大きさ調節のテーブルを示す図である。
【図８】確率的なステップ大きさ変化を示す状態図である。
【図９】移動端末のブロック図である。
【図１】
2009522913.tif 000004
【図２】
2009522913.tif 000005
【図３】
2009522913.tif 000006
【図４】
2009522913.tif 000007
【図５】
2009522913.tif 000008
【図６】
2009522913.tif 000009
【図７】
2009522913.tif 000010
【図８】
2009522913.tif 000011
【図９】
2009522913.tif 000012
【国際調査報告】
2009522913.tif 000013
2009522913.tif 000014
2009522913.tif 000015